【手続補正書】
【提出日】平成24年6月25日(2012.6.25)
【手続補正１】
【補正対象書類名】特許請求の範囲
【補正対象項目名】全文
【補正方法】変更
【補正の内容】
【特許請求の範囲】
【請求項１】
長尺帯状の金属箔からなる集電体、および前記集電体の両主面に形成された活物質層を含むとともに、前記集電体が、当該電極の端部、当該電極を貫通する貫通孔、および当該電極のいずれかの主面から前記活物質層を取り除くようにして設けられた凹部、の少なくとも１つにおいて前記集電体が露出する露出部を含む、電極と、
電極リードと、
前記露出部と、前記電極リードとを導通させるように、前記電極と前記電極リードとを接合する接合部と、を備え、
前記電極リードが、前記電極と重なり合う重なり部、および前記電極の幅方向の一端部の端面と面一となるように配される一端面、を有し、
前記接合部が、前記電極の幅方向の一端部の端面と、前記電極リードの一端面との間に掛け渡されるようにして設けられている非水電解質二次電池用電極構造体。
【請求項２】
前記接合部が、前記電極の幅方向の他端部にも形成されている請求項１記載の非水電解質二次電池用電極構造体。
【請求項３】
前記電極リードが、前記電極の幅方向の他端部の端面と面一に形成された段差部を有しており、
前記他端部に形成された接合部が、前記電極の幅方向の他端部と、前記電極リードの段差部とを接合している請求項２記載の非水電解質二次電池用電極構造体。
【請求項４】
前記電極リードと、前記電極の幅方向の他端部とが接着テープにより固定されている請求項１記載の非水電解質二次電池用電極構造体。
【請求項５】
長尺帯状の金属箔からなる集電体、および前記集電体の両主面に形成された活物質層を含むとともに、前記集電体が、当該電極の端部、当該電極を貫通する貫通孔、および当該電極のいずれかの主面から前記活物質層を取り除くようにして設けられた凹部、の少なくとも１つにおいて前記集電体が露出する露出部を含む、電極と、
電極リードと、
前記露出部と、前記電極リードとを導通させるように、前記電極と前記電極リードとを接合する接合部と、を備え、
前記接合部が、前記電極の幅方向の一端部に形成されているとともに、前記電極リードの一端面と接触する第１接触部、前記電極の幅方向の一端部の端面と接触する第２接触部、並びに前記第１接触部と第２接触部との間の折り返し部から構成されており、
前記電極リードの一端面と、前記電極の幅方向の一端部の端面とが対向配置されている非水電解質二次電池用電極構造体。
【請求項６】
長尺帯状の金属箔からなる集電体、および前記集電体の両主面に形成された活物質層を含むとともに、前記集電体が、当該電極の端部、当該電極を貫通する貫通孔、および当該電極のいずれかの主面から前記活物質層を取り除くようにして設けられた凹部、の少なくとも１つにおいて前記集電体が露出する露出部を含む、電極と、
電極リードと、
前記露出部と、前記電極リードとを導通させるように、前記電極と前記電極リードとを接合する接合部と、を備え、
前記電極リードが、
前記電極と重なり合う重なり部、および
前記電極の長手方向の一端部の端面と面一となるように配される一端面、を有し、
前記接合部が、前記電極の長手方向の一端部の端面と、前記電極リードの一端面との間に掛け渡されるようにして設けられている非水電解質二次電池用電極構造体。
【請求項７】
前記電極リードの他端部が、接着テープにより前記電極に固定されている請求項６記載の非水電解質二次電池用電極構造体。
【請求項８】
長尺帯状の金属箔からなる集電体、および前記集電体の両主面に形成された活物質層を含むとともに、前記集電体が、当該電極の端部、当該電極を貫通する貫通孔、および当該電極のいずれかの主面から前記活物質層を取り除くようにして設けられた凹部、の少なくとも１つにおいて前記集電体が露出する露出部を含む、電極と、
電極リードと、
前記露出部と、前記電極リードとを導通させるように、前記電極と前記電極リードとを接合する接合部と、を備え、
前記電極リードは、その一部を切り起こした切起部を有し、
前記接合部は、前記貫通孔に挿入された前記切起部の再凝固体から構成されている非水電解質二次電池用電極構造体。
【請求項９】
前記電極リードの切起部は、先端が尖っている請求項８記載の非水電解質二次電池用電極構造体。
【請求項１０】
前記電極リードの切起部は、方形状である請求項８記載の非水電解質二次電池用電極構造体。
【請求項１１】
前記電極リードの切起部は、先端が丸まっている請求項８記載の非水電解質二次電池用電極構造体。
【請求項１２】
長尺帯状の金属箔からなる集電体、および前記集電体の両主面に形成された活物質層を含むとともに、前記集電体が、当該電極の端部、当該電極を貫通する貫通孔、および当該電極のいずれかの主面から前記活物質層を取り除くようにして設けられた凹部、の少なくとも１つにおいて前記集電体が露出する露出部を含む、電極と、
電極リードと、
前記露出部と、前記電極リードとを導通させるように、前記電極と前記電極リードとを接合する接合部と、を備え、
前記電極は、前記電極リードの端部と重なる位置または隣接する位置にスリット状の前記貫通孔または凹部が形成されており、
前記接合部は、前記電極リードの端部の再凝固体から構成されており、前記再凝固体が前記スリット状の貫通孔または凹部の内部で前記露出部と、前記電極リードとを導通させている非水電解質二次電池用電極構造体。
【請求項１３】
前記スリット状の貫通孔または凹部が、前記電極の長手方向と平行に設けられている請求項１２記載の非水電解質二次電池用電極構造体。
【請求項１４】
前記スリット状の貫通孔または凹部が、前記電極の長手方向と垂直に設けられている請求項１２記載の非水電解質二次電池用電極構造体。
【請求項１５】
前記スリット状の貫通孔または凹部が、前記電極の長手方向に対して斜めに設けられている請求項１２記載の非水電解質二次電池用電極構造体。
【請求項１６】
前記電極リードの一部を前記電極の厚み方向に貫通させてかしめたかしめ部を備える請求項１または６記載の非水電解質二次電池用電極構造体。
【請求項１７】
長尺帯状の金属箔からなる集電体、および前記集電体の両主面に形成された活物質層を含むとともに、前記集電体が、当該電極の端部、当該電極を貫通する貫通孔、および当該電極のいずれかの主面から前記活物質層を取り除くようにして設けられた凹部、の少なくとも１つにおいて前記集電体が露出する露出部を含む、電極と、
電極リードと、
前記露出部と、前記電極リードとを導通させるように、前記電極と前記電極リードとを接合する接合部と、を備え、
前記接合部が、前記電極の幅方向の一端部または長手方向の一端部に形成されているとともに、
前記電極リードと、前記電極とが、互いに重なり合う重なり部において、接着剤により接着されている非水電解質二次電池用電極構造体。
【請求項１８】
（ａ）長尺帯状の金属箔からなる集電体の両主面に活物質層を形成した電極を準備する工程、並びに
（ｂ）前記電極の端部、前記電極を貫通する貫通孔、および前記電極のいずれかの主面から前記活物質層を取り除くようにして設けられた凹部、の少なくとも１つにおいて、露出している集電体と、前記電極リードとを導通させるように接合する接合部を形成する工程、を含み、
前記工程ｂが、
前記電極リードと、前記電極とを、少なくとも一部が互いに重なり合うように、且つ前記電極リードの一端面と前記電極の幅方向の一端面とが面一となるように、配置する工程、並びに
前記電極リードの一端面と前記電極の幅方向の一端面との間に掛け渡すように前記接合部を形成する工程、を含む非水電解質二次電池用電極構造体の製造方法。
【請求項１９】
前記工程ｂが、さらに、前記電極リードの一端面と、前記電極の幅方向の一端面とを対向させるように、前記接合部を折り返す工程、を含む請求項１８記載の非水電解質二次電池用電極構造体の製造方法。
【請求項２０】
（ａ）長尺帯状の金属箔からなる集電体の両主面に活物質層を形成した電極を準備する工程、並びに
（ｂ）前記電極の端部、前記電極を貫通する貫通孔、および前記電極のいずれかの主面から前記活物質層を取り除くようにして設けられた凹部、の少なくとも１つにおいて、露出している集電体と、前記電極リードとを導通させるように接合する接合部を形成する工程、を含み、
前記工程ｂが、前記貫通孔に、前記電極リードの一部を切り起こした切起部を挿入した状態で、前記切起部を溶融し、再凝固させて、前記接合部を形成する工程、を含む非水電解質二次電池用電極構造体の製造方法。
【請求項２１】
（ａ）長尺帯状の金属箔からなる集電体の両主面に活物質層を形成した電極を準備する工程、並びに
（ｂ）前記電極の端部、前記電極を貫通する貫通孔、および前記電極のいずれかの主面から前記活物質層を取り除くようにして設けられた凹部、の少なくとも１つにおいて、露出している集電体と、前記電極リードとを導通させるように接合する接合部を形成する工程、を含み、
前記工程ｂが、
前記電極の、前記電極リードの端部と重なる位置または隣接する位置にスリット状の前記貫通孔または凹部を形成する工程、および
前記電極リードの端部を溶融し、その溶融部分を前記スリット状の貫通孔または凹部の内部に流し込んだ後、再凝固させて、前記接合部を形成する工程、を含む非水電解質二次電池用電極構造体の製造方法。
【請求項２２】
長尺帯状の正極および負極を、間にセパレータを介在させて巻回または積層して構成された電極群、
前記正極および負極のそれぞれに接合される電極リード、
非水電解質、
前記電極群および前記非水電解質を収納する電池ケース、並びに
前記電池ケースの開口部を封口する封口体、を備え、
前記正極および負極のそれぞれに電極リードを接合して構成される各電極構造体の少なくとも一方が、請求項１記載の非水電解質二次電池用電極構造体から構成される非水電解質二次電池。
【手続補正２】
【補正対象書類名】明細書
【補正対象項目名】００１４
【補正方法】変更
【補正の内容】
【００１４】
本発明は、長尺帯状の金属箔からなる集電体、および前記集電体の両主面に形成された活物質層を含む電極と、
電極リードと、
前記電極の端部、前記電極を貫通する貫通孔、および前記電極のいずれかの主面から前記活物質層を取り除くようにして設けられた凹部、の少なくとも１つにおいて、露出している集電体と、前記電極リードとを導通させるように、前記電極と前記電極リードとを接合する接合部と、を備える非水電解質二次電池用電極構造体に関する。
【手続補正３】
【補正対象書類名】明細書
【補正対象項目名】００１５
【補正方法】変更
【補正の内容】
【００１５】
本発明の一局面においては、前記接合部が、前記電極の幅方向の一端部に形成されている。
【手続補正４】
【補正対象書類名】明細書
【補正対象項目名】００１６
【補正方法】変更
【補正の内容】
【００１６】
本発明の一局面においては、前記電極リードが、
前記電極と重なり合う重なり部、および
前記電極の幅方向の一端部の端面と面一となるように配される一端面、を有し、
前記接合部が、前記電極の幅方向の一端部の端面と、前記電極リードの一端面との間に掛け渡されるようにして設けられる。
【手続補正５】
【補正対象書類名】明細書
【補正対象項目名】００１７
【補正方法】変更
【補正の内容】
【００１７】
本発明の一局面の好ましい形態においては、前記接合部が、前記電極の幅方向の他端部にも形成されている。
【手続補正６】
【補正対象書類名】明細書
【補正対象項目名】００１８
【補正方法】変更
【補正の内容】
【００１８】
本発明の一局面の別の好ましい形態においては、前記電極リードが、前記電極の幅方向の他端部の端面と面一に形成された段差部を有しており、
前記他端部に形成された接合部が、前記電極の幅方向の他端部と、前記電極リードの段差部とを接合している。
【手続補正７】
【補正対象書類名】明細書
【補正対象項目名】００１９
【補正方法】変更
【補正の内容】
【００１９】
本発明の一局面のさらに別の好ましい形態においては、前記電極リードと、前記電極の幅方向の他端部とが接着テープにより固定されている。
【手続補正８】
【補正対象書類名】明細書
【補正対象項目名】００２０
【補正方法】変更
【補正の内容】
【００２０】
本発明の他の局面においては、長尺帯状の金属箔からなる集電体、および前記集電体の両主面に形成された活物質層を含むとともに、前記集電体が、当該電極の端部、当該電極を貫通する貫通孔、および当該電極のいずれかの主面から前記活物質層を取り除くようにして設けられた凹部、の少なくとも１つにおいて前記集電体が露出する露出部を含む、電極と、
電極リードと、
前記露出部と、前記電極リードとを導通させるように、前記電極と前記電極リードとを接合する接合部と、を備え、
前記接合部が、前記電極の幅方向の一端部に形成されているとともに、前記電極リードの一端面と接触する第１接触部、前記電極の幅方向の一端部の端面と接触する第２接触部、並びに前記第１接触部と第２接触部との間の折り返し部から構成されており、
前記電極リードの一端面と、前記電極の幅方向の一端部の端面とが対向配置されている。
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】変更
【補正の内容】
【００２２】
本発明のさらに他の局面においては、長尺帯状の金属箔からなる集電体、および前記集電体の両主面に形成された活物質層を含むとともに、前記集電体が、当該電極の端部、当該電極を貫通する貫通孔、および当該電極のいずれかの主面から前記活物質層を取り除くようにして設けられた凹部、の少なくとも１つにおいて前記集電体が露出する露出部を含む、電極と、
電極リードと、
前記露出部と、前記電極リードとを導通させるように、前記電極と前記電極リードとを接合する接合部と、を備え、
前記電極リードが、
前記電極と重なり合う重なり部、および
前記電極の長手方向の一端部の端面と面一となるように配される一端面、を有し、
前記接合部が、前記電極の長手方向の一端部の端面と、前記電極リードの一端面との間に掛け渡されるようにして設けられている。
【手続補正１１】
【補正対象書類名】明細書
【補正対象項目名】００２３
【補正方法】変更
【補正の内容】
【００２３】
本発明のさらに他の局面の好ましい形態においては、前記電極リードの他端部が、接着テープにより前記電極に固定されている。
【手続補正１２】
【補正対象書類名】明細書
【補正対象項目名】００２４
【補正方法】変更
【補正の内容】
【００２４】
本発明のさらに他の局面においては、長尺帯状の金属箔からなる集電体、および前記集電体の両主面に形成された活物質層を含むとともに、前記集電体が、当該電極の端部、当該電極を貫通する貫通孔、および当該電極のいずれかの主面から前記活物質層を取り除くようにして設けられた凹部、の少なくとも１つにおいて前記集電体が露出する露出部を含む、電極と、
電極リードと、
前記露出部と、前記電極リードとを導通させるように、前記電極と前記電極リードとを接合する接合部と、を備え、
前記電極リードは、その一部を切り起こした切起部を有し、
前記接合部は、前記貫通孔に挿入された前記切起部の再凝固体から構成されている。
【手続補正１３】
【補正対象書類名】明細書
【補正対象項目名】００２５
【補正方法】変更
【補正の内容】
【００２５】
本発明のさらに他の局面の好ましい形態においては、前記電極リードの切起部は、先端が尖っている。
【手続補正１４】
【補正対象書類名】明細書
【補正対象項目名】００２６
【補正方法】変更
【補正の内容】
【００２６】
本発明のさらに他の局面の別の好ましい形態においては、前記電極リードの切起部は、方形状である。
【手続補正１５】
【補正対象書類名】明細書
【補正対象項目名】００２７
【補正方法】変更
【補正の内容】
【００２７】
本発明のさらに他の局面のさらに別の好ましい形態においては、前記電極リードの切起部は、先端が丸まっている。
【手続補正１６】
【補正対象書類名】明細書
【補正対象項目名】００２８
【補正方法】変更
【補正の内容】
【００２８】
本発明のさらに他の局面においては、長尺帯状の金属箔からなる集電体、および前記集電体の両主面に形成された活物質層を含むとともに、前記集電体が、当該電極の端部、当該電極を貫通する貫通孔、および当該電極のいずれかの主面から前記活物質層を取り除くようにして設けられた凹部、の少なくとも１つにおいて前記集電体が露出する露出部を含む、電極と、
電極リードと、
前記露出部と、前記電極リードとを導通させるように、前記電極と前記電極リードとを接合する接合部と、を備え、
前記電極は、前記電極リードの端部と重なる位置または隣接する位置にスリット状の前記貫通孔または凹部が形成されており、
前記接合部は、前記電極リードの端部の再凝固体から構成されており、前記再凝固体が前記スリット状の貫通孔または凹部の内部で前記露出部と、前記電極リードとを導通させている。
【手続補正１７】
【補正対象書類名】明細書
【補正対象項目名】００２９
【補正方法】変更
【補正の内容】
【００２９】
本発明のさらに他の局面の好ましい形態においては、前記スリット状の貫通孔または凹部が、前記電極の長手方向と平行に設けられている。
【手続補正１８】
【補正対象書類名】明細書
【補正対象項目名】００３０
【補正方法】変更
【補正の内容】
【００３０】
本発明のさらに他の局面の別の好ましい形態においては、前記スリット状の貫通孔または凹部が、前記電極の長手方向と垂直に設けられている。
【手続補正１９】
【補正対象書類名】明細書
【補正対象項目名】００３１
【補正方法】変更
【補正の内容】
【００３１】
本発明のさらに他の局面のさらに別の好ましい形態においては、前記スリット状の貫通孔または凹部が、前記電極の長手方向に対して斜めに設けられている。
【手続補正２０】
【補正対象書類名】明細書
【補正対象項目名】００３２
【補正方法】変更
【補正の内容】
【００３２】
本発明の一局面の好ましい形態においては、前記電極リードの一部を前記電極の厚み方向に貫通させてかしめたかしめ部を備える。
【手続補正２１】
【補正対象書類名】明細書
【補正対象項目名】００３３
【補正方法】変更
【補正の内容】
【００３３】
本発明のさらに他の局面においては、長尺帯状の金属箔からなる集電体、および前記集電体の両主面に形成された活物質層を含むとともに、前記集電体が、当該電極の端部、当該電極を貫通する貫通孔、および当該電極のいずれかの主面から前記活物質層を取り除くようにして設けられた凹部、の少なくとも１つにおいて前記集電体が露出する露出部を含む、電極と、
電極リードと、
前記露出部と、前記電極リードとを導通させるように、前記電極と前記電極リードとを接合する接合部と、を備え、
前記電極リードと、前記電極とが、互いに重なり合う重なり部において、接着剤により接着されている。
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】変更
【補正の内容】
【００３５】
本発明のさらに他の局面においては、（ａ）長尺帯状の金属箔からなる集電体の両主面に活物質層を形成した電極を準備する工程、並びに
（ｂ）前記電極の端部、前記電極を貫通する貫通孔、および前記電極のいずれかの主面から前記活物質層を取り除くようにして設けられた凹部、の少なくとも１つにおいて、露出している集電体と、前記電極リードとを導通させるように接合する接合部を形成する工程、を含み、
前記工程ｂが、
前記電極リードと、前記電極とを、少なくとも一部が互いに重なり合うように、且つ前記電極リードの一端面と前記電極の幅方向の一端面とが面一となるように、配置する工程、並びに
前記電極リードの一端面と前記電極の幅方向の一端面との間に掛け渡すように前記接合部を形成する工程、を含む。
【手続補正２４】
【補正対象書類名】明細書
【補正対象項目名】００３６
【補正方法】変更
【補正の内容】
【００３６】
本発明のさらに他の局面の好ましい形態においては、前記工程ｂが、さらに、前記電極リードの一端面と、前記電極の幅方向の一端面とを対向させるように、前記接合部を折り返す工程、を含む。
【手続補正２５】
【補正対象書類名】明細書
【補正対象項目名】００３７
【補正方法】変更
【補正の内容】
【００３７】
本発明のさらに他の局面においては、（ａ）長尺帯状の金属箔からなる集電体の両主面に活物質層を形成した電極を準備する工程、並びに
（ｂ）前記電極の端部、前記電極を貫通する貫通孔、および前記電極のいずれかの主面から前記活物質層を取り除くようにして設けられた凹部、の少なくとも１つにおいて、露出している集電体と、前記電極リードとを導通させるように接合する接合部を形成する工程、を含み、
前記工程ｂが、前記貫通孔に、前記電極リードの一部を切り起こした切起部を挿入した状態で、前記切起部を溶融し、再凝固させて、前記接合部を形成する工程、を含む。
【手続補正２６】
【補正対象書類名】明細書
【補正対象項目名】００３８
【補正方法】変更
【補正の内容】
【００３８】
本発明のさらに他の局面においては、（ａ）長尺帯状の金属箔からなる集電体の両主面に活物質層を形成した電極を準備する工程、並びに
（ｂ）前記電極の端部、前記電極を貫通する貫通孔、および前記電極のいずれかの主面から前記活物質層を取り除くようにして設けられた凹部、の少なくとも１つにおいて、露出している集電体と、前記電極リードとを導通させるように接合する接合部を形成する工程、を含み、
前記工程ｂが、
前記電極の、前記電極リードの端部と重なる位置または隣接する位置にスリット状の前記貫通孔または凹部を形成する工程、および
前記電極リードの端部を溶融し、その溶融部分を前記スリット状の貫通孔または凹部の内部に流し込んだ後、再凝固させて、前記接合部を形成する工程、を含む。